(57)【要約】【課題】透明で平滑な板ガラスを光学式マウスのマウスパッドとして利用しようとする場合、マウスを動かしても平滑面からの反射光量が一定で変化しないため、移動方向と移動距離を検知する事が出来ない問題点があった。【解決手段】板ガラスが上表面をＪＩＳ  Ｂ０６０１に規定されている算術平均粗さＲａが０．８μｍ以上の凹凸模様に形成される事により、光学式マウスの移動方向と移動距離を検知可能にすると共に、手触りの質感と及び高級な透明感のある意匠性とマウス操作の作業性に優れた光学式マウスのマウスパッドとして利用可能な板ガラスが得られた。【選択図】図１
2014154132.tif 000002
【特許請求の範囲】
【請求項１】
板ガラスの上表面がＪＩＳ  Ｂ０６０１に規定されている算術平均粗さＲａが０．８μｍ以上の凹凸模様に形成された事を特徴とする光学式マウスのマウスパッドとして利用可能な板ガラス。
【請求項２】
板ガラスの上表面の一部分がＪＩＳ  Ｂ０６０１に規定されている算術平均粗さＲａが０．８μｍ以上の凹凸模様に形成された事を特徴とする光学式マウスのマウスパッドとして利用可能な板ガラス。
【請求項３】
板ガラスの上表面がＪＩＳ  Ｂ０６０１に規定されている算術平均粗さＲａが０．８μｍ以上の凹凸模様に形成され、前記板ガラスの裏面に塗装を施した事を特徴とする請求項１及び請求項２記載の光学式マウスのマウスパッドとして利用可能な板ガラス。
【請求項４】
板ガラスの裏面にＩＴＯ（酸化インジウムスズ）や酸化スズ等の透明な導電膜を形成し、前記導電膜の対向する２辺に導電性を有する接着材を介して銅箔テープを貼り付ける共に、ＰＶＢ（ポリビニールブチラール）やＥＶＡ（エチレンビニールアセテート）等の中間膜を介して下板ガラスを接着して合せガラスとし、前記銅箔テープの一端は板ガラス端より突出させてリード線を結線して通電する事により導電膜が発熱し、板ガラス上表面が暖かくなる事を特徴とする請求項１及び請求項２記載の光学式マウスのマウスパッドとして利用可能な板ガラス。
【請求項５】
板ガラスの裏面にＩＴＯ（酸化インジウムスズ）や酸化スズ等の透明な導電膜を形成し、前記導電膜の対向する２辺に導電性を有する接着材を介して銅箔テープを貼り付ける共に、ＰＶＢ（ポリビニールブチラール）やＥＶＡ（エチレンビニールアセテート）等の中間膜を介して下板ガラスを接着して合せガラスとし、前記銅箔テープの一端は板ガラス端より突出させてリード線を結線すると共に、パソコンのＵＳＢ端子から通電する事により導電膜が発熱し、板ガラス上表面が暖かくなる事を特徴とする請求項４記載の光学式マウスのマウスパッドとして利用可能な板ガラス。
【発明の詳細な説明】
【技術分野】
【０００１】      本発明はレーザー光線やＬＥＤを用いて、移動方向と移動距離を読み取る光学式マウス用のマウスパッドとして利用可能な板ガラスに関する。
【背景技術】
【０００２】      従来、マウスボールを用いて移動方向と移動距離を読み取るポール式マウスが知られているが、このマウスに使用されるマウスパッドに関しては、特開Ｈ０９−１５２９３５号に結晶化ガラスを用いたマウスパッドが知られている。【０００３】      上記のボール式マウスパッドは、マウスボールとの機械的な摩擦音の不快さを解消し、マウスの動きに応じてボールを確実に回転させるために、適度な摩擦力が必要である。このためガラス上面に平均段差を２〜２０μｍとした凹凸模様を施している。所がボール式マウスはボールが汚れやすく、汚れによって回転精度が落ちるため、近年レーザーやＬＥＤを用いた光学式マウスが多用されている。光学式マウスでは投光部からの光束をマウスパッドに当て、マウスパッドの凹凸面からの反射光束を受光部で受けて光量の変化で移動方向と移動距離を読み取るので、光量変化が検知出来る凹凸模様の平均段差であれば良いので平均段差を小さくすることが可能になる。
【先行技術文献】
【特許文献】
【０００４】
【特許文献１】特開Ｈ０９−１５２９３５号公報
【０００５】
【発明の概要】
【発明が解決しようとする課題】
【０００６】      透明で平滑な板ガラスを光学式マウスのマウスパッドとして利用しようとする場合、マウスを動かしても平滑面からの反射光量が一定で、変化しないため移動方向と移動距離を検知する事が出来ない問題点があった。
【課題を解決するための手段】
【０００７】      このため、本発明では板ガラスの上表面を粒度の細かい砥粒を研磨材としたサンドブラストにより凹凸模様を形成した後、弗酸等の薬品で凹凸模様の凸部を溶解する事により、平均段差が小さく滑らかな凹凸模様を形成する事によりマウスの移動方向と移動距離を検知する事が可能となった。
【発明の効果】
【０００８】      さらに本発明では平均段差が少なく細かくて滑らかな凹凸模様を形成する事により、板ガラスの特徴である手触りの質感と、高級な透明感のある意匠性の優れたマウスパッドとして利用出来る効果が得られた。【０００９】      又、細かくて滑らかな凹凸模様を有する板ガラスなので、マウスを操作する際にはスムースな動きで、マウスパッドとして優れた使用感のある効果が得られた。【００１０】      更には、オフィスの事務机に敷くデスクマットやガラステーブルの天板として板ガラスを使用する場合、この板ガラスの上表面に、平均段差が少なく細かくて滑らかな凹凸模様を形成する事で、マウスパッドの代わりになるのでマウスパッドが不要で、机の上のどの場所でもマウス操作可能になり、作業性が良く疲労も軽減出来る効果が得られた。【００１１】      上記の板ガラスにおいては上表面の全面に平均段差が少なく細かくて滑らかな凹凸模様を形成する事も可能だが、マウス操作の作業範囲だけの一部分に凹凸模様を形成する事で、新規な意匠性を有する効果が得られた。【００１２】      又、板ガラスは冬の寒い時には手が触れると、ひんやりと感じる事があるが、板ガラスの裏面に透明な導電膜を形成して導電膜周囲の２辺に電極を取り付け、この電極から通電する事により導電膜が発熱し、板ガラス上表面が暖かくなりガラス面に手が触れても温熱感が得られる効果が得られた。
【図面の簡単な説明】
【００１３】
【図１】は本発明において、オフィスの事務机に敷くデスクマットやガラステーブルの天板として、板ガラスの上表面全面に平均段差が少なく細かくて滑らかな凹凸模様を形成した板ガラスの斜視図である。
【図２】は図１の凹凸模様をマウス操作の必要な作業範囲だけ、凹凸模様を形成した板ガラスの斜視図である。
【図３】は板ガラスの裏面に透明な導電膜を形成して導電膜周囲の２辺に電極を取り付けると共に、導電膜の保護も兼ねて中間膜により合せガラスとした板ガラスの部分断面図を示す。
【発明を実施するための形態】
【００１４】      以下、本発明の好適な実施形態について、添付図面を参照しつつ説明する。
【００１５】      図１は本発明の板ガラスで図の上方向が表面で、この上表面全面に平均段差が少なく細かくて滑らかな凹凸模様を形成してある。大きさは事務机と略同じ大きさでデスクマットとして事務机（図示せず。）の上に乗せ、パソコンやキーボードの機器（図示せず。）を配置する事が出来る。空いているスペースは光学マウス用のマウスパッドとして使用できるので書類等が置いてあっても空いている場所でマウス操作が出来する。又、表面に凹凸があるため水性マーカーで文字を書いてもインクが弾けずメモ板としても使用出来る。水性マーカーで書いた文字は簡単に消すことが出来て汚れが残らない。又、デスクマットではなく、この板ガラスを４隅に足を取付けた長方形の枠の上に乗せてパソコン作業用のガラステーブルの天板としても使用出来る。
【００１６】      又、図１の板ガラスで裏面（図の下方向）に塗装を施し着色する事により、上方から見ると細かくて滑らかな凹凸模様を通して裏面の塗装色を見る事になり、デスクマットとして反射が少なくマット感のある落ち着いた意匠にする事が出来る。
【００１７】      図２は、マウス操作の作業領域２だけに平均段差が少なく細かくて滑らかな凹凸模様を形成してある。作業領域以外の場所は透明なのでデスクマットとして事務机に乗せて使用する場合、下にメモや書類を挟んでも文字がボケずに読み取りが出来る。
【００１８】      図３は板ガラスの上表面全面に平均段差が少なく細かくて滑らかな凹凸模様を形成すると共に、板ガラス裏面にはＩＴＯ（酸化インジウムスズ）や酸化スズ等の透明な導電膜３を形成したものである。この導電膜３の対向する２辺に導電性を有する接着材を介して銅箔テープ６を貼り付け、一端は板ガラスより突出させてリード線（図示せず。）から通電する事により導電膜が発熱し、板ガラス上表面も暖かくなる。このため冬季においてガラス面に手が触れても温熱感が得られる効果が得られる。通電はＡＣ１００Ｖのコンセントから床暖コントロラーようなオンオフ制御の出来る温調機を使用して適当な温度まで板ガラスを暖める事が出来る。尚、導電膜の保護も兼ねてＰＶＢ（ポリビニールブチラール）やＥＶＡ（エチレンビニールアセテート）等の中間膜４を介して下板ガラス５を接着して合せガラスとする事が望ましい。
【００１９】      上記の導電膜４を形成した合せガラスをガラステーブルの天板として使用した場合、手が触れた場合の温熱感だけでなく、下方に空間にも発熱の熱量が広がり座っている人の足元を暖める事が出来て快適な作業環境が得られる。
【００２０】      上記の導電膜４を形成した合せガラスを机の上敷板としてのデスクマットやガラステーブルの天板ではなく、小さなサイズの独立したマウスパッドとして使用する事も可能で、小さいサイズの場合には発熱のための電源をパソコンのＵＳＢ端子から取る事も可能になる。例えば面抵抗値が２０Ω／□で、１６ｃｍ×１８ｃｍの長辺に幅１ｃｍの電極を設けると、発熱面積は１４ｃｍ×１８ｃｍ＝２５２ｃｍ２、抵抗値は１５．６Ωとなる。マウスパッドにＵＳＢ端子からの５Ｖの電源で通電すると０．３２Ａの電流が流れる。この時の発熱量は１．６Ｗになり、平米換算では６４Ｗ／ｍ２なので発熱量の半分が板ガラスの上方へ放熱するとすれば、板ガラスと室内空気の熱伝達率を８．６Ｗ／ｍ２・Ｋとすると、板ガラス面の温度は３．７℃上昇する。このマウスパッドの下に発泡シート等で断熱して発熱量の２／３が上方へ放熱するとした場合には、板ガラス面の温度は５．０℃上昇するので十分に手を暖める事が出来る。
【００２１】      板ガラスの上表面に形成する凹凸模様の平均段差に関しては、ＪＩＳ  Ｂ０６０１に規定されている算術平均粗さＲａで測定出来るので、算術平均粗さＲａの小さいものから算術平均粗さＲａが数μｍ程度まで各種板ガラス試料を作成して、市販されている各種のマウスの読み取り可否の試験結果を表１と表２に示す。
【００２２】
【表１】
2014154132.tif 000003
【００２３】
【表２】
2014154132.tif 000004
【００２４】      市販されている光学式マウスについて、光源の種類を赤色ＬＥＤ、赤外線ＬＥＤ、青色ＬＥＤ、レーザー光線の４種類について、各２機種の合計８種類について、表１はガラス厚みが５ｍｍの場合、表２については３ｍｍの試験結果を示す。
【００２５】      表１と表２の結果で×は光学式マウスの移動方向と移動距離を検知できなかったものを示し、○は移動方向と移動距離を検知して問題なく作動したものを示し、△は読み取れない時もあり、作動が不安定なものを示す。この結果からガラス厚みが５ｍｍと３ｍｍの無加工ガラス（フロートガラス）では読み取りが出来ず、表１からガラス厚みが５ｍｍの場合、試料２（算術平均粗さが０．６６１３μｍ）では作動が不安定であり、試料３（算術平均粗さが０．７９７２μｍ）では十分に読み取り可能である。又、ガラス厚みが５ｍｍと３ｍｍの無加工ガラス（フロートガラス）では読み取りが出来ず、表２からガラス厚みが３ｍｍの場合、試料２（算術平均粗さが０．７２０１μｍ）では作動が不安定であり、試料３（算術平均粗さが０．７８９６μｍ）では十分に読み取り可能である。以上から、算術平均粗さが０．８μｍ以上の板ガラスでは十分に読み取りが可能であり、これらのガラスの表面は柔らかで目の細かいマット面によって高級感のある意匠性が得られ、マウスを操作する際にはスムースな動きで、マウスパッドとして優れた使用感のある効果が得られた。又、板ガラスの特徴である手触りの質感は他の材質では得られない感触となった。
【符号の説明】
【００２６】      １      板ガラス
２      作業領域
３      導電膜
４      中間膜
５      下板ガラス
６      銅箔テープ
【図１】
2014154132.tif 000005
【図２】
2014154132.tif 000006
【図３】
2014154132.tif 000007